(57)【特許請求の範囲】
【請求項１】
水晶体を構成する水晶体皮質を除去した水晶体嚢内に挿入されて用いられる水晶体嚢構成体であって、
第１貫通孔が形成されている前部保持体及び第２貫通孔が形成されている後部保持体の間に複数の架橋片が架設されて光軸に沿って前後方向に伸縮可能に形成された伸縮体により構成され、該伸縮体内に前部保持体の第１貫通孔から眼内レンズが挿入されて保持されるように構成されていると共に、前記架橋片には伸縮用曲げ部が設けられ、該伸縮用曲げ部の内面にはレンズを構成する光学部から斜め後方へ延びるように構成された支持部の先端部が係合される係合部が設けられ、前部保持体の第１貫通孔の直径は光学部の直径よりも小さく設定され、光学部の前面が前部保持体の第１貫通孔に嵌り込むように構成されていることを特徴とする水晶体嚢構成体。
【請求項２】
前記眼内レンズは光学部の外周から支持部がループ状に突出形成されていることを特徴とする請求項１に記載の水晶体嚢構成体。
【請求項３】
前記後部保持体の水晶体嚢に接触する部分は、水晶体嚢を押圧するための角部を有することを特徴とする請求項１又は請求項２に記載の水晶体嚢構成体。
【請求項４】
前記前部保持体の内面には房水流通溝が切欠き形成され、伸縮体の伸縮に伴って房水が出入りするように構成されていることを特徴とする請求項１から請求項３のいずれか１項に記載の水晶体嚢構成体。
【発明の詳細な説明】
【技術分野】
【０００１】
本発明は、白内障等によって機能が損なわれた水晶体の代わりに眼内に移植される眼内レンズを保持するための水晶体嚢構成体に関するものである。
【背景技術】
【０００２】
一般に、白内障を患うと眼内における水晶体の機能が損なわれるため、混濁した水晶体皮質を取り除いて眼内レンズを移植する手術が行われる。この種の眼内レンズとしては、例えばほぼ円形状をなすレンズ体（光学部）と、該レンズ体に取付けられてレンズ体を水晶体嚢（のう）内に支持する保持体（支持部）とから構成されている。具体的には、レンズ部と、そのレンズ部を眼内に保持するための支持部材とを備え、水晶体皮質を除去した水晶体嚢内に挿入されたとき、支持部材が毛様筋の弛緩や緊張に直接又は間接的に影響を受けられるようにして水晶体嚢内に配置される眼内レンズが知られている（例えば、特許文献１を参照）。そして、係るレンズ部は網膜側に位置するように支持部材に取付けられると共に、支持部材は毛様筋の緊張作用があった場合にレンズ部を角膜側に移動させ、毛様筋の弛緩作用があった場合にレンズ部を網膜側に移動させるようになっている。
【０００３】
さらに、前ビューイング要素を有する前部と、後ビューイング要素を有する後部とを含み、前記ビューイング要素が眼の毛様筋の活動に応答して光軸に沿って互いに移動するように配置されており、前部と後部とが単一の材料から形成されている調節眼内レンズが知られている（例えば、特許文献２を参照）。この調節眼内レンズによれば、毛様筋の緊張の変化に応答して眼の屈折力を変化させ、網膜上に焦点を合わせることができるようになっている。
【特許文献１】特許第３４７４６２７号公報（第１頁及び第２頁）
【特許文献２】特表２００５−５３３６１１号公報（第２頁及び第５頁）
【発明の開示】
【発明が解決しようとする課題】
【０００４】
ところが、特許文献１に記載された眼内レンズでは、支持部材が具体的にはループ部と一対の支持腕部とで構成され、レンズ部が支持腕部により１８０度対向する位置で支持されている。そして、毛様筋の緊張、弛緩に伴ってループ部が変形し、そのループ部の変形に基づいてレンズ部が網膜側又は角膜側に移動するものである。
【０００５】
しかしながら、ループ部は径方向への変形のみであり、そのループ部の径方向への変形が支持腕部を介してレンズ部の網膜側又は角膜側への移動に変換されるため、その移動量が制限され、レンズ部の十分な移動を図ることができない。さらに、レンズ部は２つの支持腕部でループ部に支持されているだけであるため、レンズ部を光軸方向に安定した状態で移動させることは困難である。さらに、レンズ部が水晶体後嚢と簡単に接触又は癒着を生じてしまい、発明が目的とする遠方及び近方に対して自由にピント合せができる調節力が得られなくなる。
【０００６】
加えて、特許文献２に記載されている調節眼内レンズにおいては、水晶体嚢内に支持される前部と後部に対して眼内レンズが一体的に構成されていることから、水晶体嚢内への調節眼内レンズの挿入及び一旦挿入した後の取り出しが困難であった。この場合、眼内レンズの手術前における予測度数は必ず誤差を生ずる可能性が避けられないことから、屈折度数の誤差が生じた場合には眼内レンズの入れ替えは避けられないが、水晶体嚢は操作中に破れやすく、その場合には再挿入は不可能である。
【０００７】
そこで本発明の目的とするところは、眼内レンズを水晶体嚢内に容易に挿入して保持することができると共に、挿入された眼内レンズを容易に取り出すことができ、かつ眼内レンズを光軸に沿って網膜側又は角膜側へ精度良く移動調節させることができる水晶体嚢構成体を提供することにある。
【課題を解決するための手段】
【０００８】
上記の目的を達成するために、請求項１の水晶体嚢構成体は、水晶体を構成する水晶体皮質を除去した水晶体嚢内に挿入されて用いられるものである。そして、第１貫通孔が形成されている前部保持体及び第２貫通孔が形成されている後部保持体の間に複数の架橋片が架設されて光軸に沿って前後方向に伸縮可能に形成された伸縮体により構成され、該伸縮体内に前部保持体の第１貫通孔から眼内レンズが挿入されて保持されるように構成されていると共に、前記架橋片には伸縮用曲げ部が設けられ、該伸縮用曲げ部の内面にはレンズを構成する光学部から斜め後方へ延びるように構成された支持部の先端部が係合される係合部が設けられ、前部保持体の第１貫通孔の直径は光学部の直径よりも小さく設定され、光学部の前面が前部保持体の第１貫通孔に嵌り込むように構成されていることを特徴とする。
【０００９】
請求項２の水晶体嚢構成体は、請求項１に係る発明において、前記眼内レンズは光学部の外周から支持部がループ状に突出形成されていることを特徴とする。
【００１２】
請求項３の水晶体嚢構成体は、請求項１又は請求項２に係る発明において、前記後部保持体の水晶体嚢に接触する部分は、水晶体嚢を押圧するための角部を有することを特徴とする。
請求項４の水晶体嚢構成体は、請求項１から請求項３のいずれか１項に係る発明において、前記前部保持体の内面には房水流通溝が切欠き形成され、伸縮体の伸縮に伴って房水が出入りするように構成されていることを特徴とする。
【発明の効果】
【００１３】
本発明によれば、次のような効果を発揮することができる。
請求項１の水晶体嚢構成体は、第１貫通孔が形成されている前部保持体及び第２貫通孔が形成されている後部保持体の間に複数の架橋片が架設されて光軸に沿って前後方向に伸縮可能に形成された伸縮体により構成され、該伸縮体内に前部保持体の第１貫通孔から眼内レンズが挿入されて保持されるように構成されている。このため、前部保持体の第１貫通孔を利用して伸縮体とは別体の眼内レンズを挿入及び取り出しすることができる。さらに、毛様筋の緊張及び弛緩に水晶体嚢が追従し、その水晶体嚢が収縮及び膨張して伸縮体が光軸に沿って伸縮することにより眼内レンズは光軸上を移動することができる。従って、眼内レンズを水晶体嚢内に容易に挿入して保持することができると共に、挿入された眼内レンズを容易に取り出すことができ、かつ眼内レンズを光軸に沿って網膜側又は角膜側へ精度良く移動調節させることができる。
加えて、架橋片に設けられた伸縮用曲げ部の内面には光学部から斜め後方へ延びる支持部の先端部が係合される係合部が設けられ、前部保持体の第１貫通孔の直径は光学部の直径よりも小さく設定され、光学部の前面が前部保持体の第１貫通孔に嵌り込むように構成されている。そのため、光学部を前部保持体の位置に安定した状態で位置決め保持することができ、該光学部の移動調節の精度を向上させることができる。さらに、前部保持体の第１貫通孔から眼内レンズを挿入した後に抜け出すことを防止することができ、眼内レンズを安定した状態で装着することができる。
【００１４】
請求項２の水晶体嚢構成体では、前記眼内レンズは光学部の外周から支持部がループ状に突出形成されている。このため、請求項１に係る発明の効果に加えて、伸縮体内に眼内レンズの光学部を安定した状態で保持することができると共に、該光学部の移動調節を良好に行うことができる。
【００１７】
請求項３の水晶体嚢構成体では、後部保持体の水晶体嚢（後嚢）に接触する部分は、水晶体嚢を押圧するための角部を有している。このため、請求項１又は請求項２に係る発明の効果に加えて、後部保持体の角部が水晶体嚢に密着してブロッキング効果を発揮し、後発白内障を抑制することができる。
請求項４の水晶体嚢構成体では、前部保持体の内面には房水流通溝が切欠き形成され、伸縮体の伸縮に伴って房水が出入りするように構成されている。このため、請求項１から請求項３のいずれかに係る発明の効果に加えて、伸縮体の光軸方向への伸縮を安定した状態で行うことができる。
【発明を実施するための最良の形態】
【００１８】
以下、本発明の最良と思われる実施形態を図面に基づいて詳細に説明する。
図５は人の眼（目）の縦断面を模式的に示す図であって、その図５に示すように、眼球の前面には角膜１１が設けられると共に、後部にはレンズとしての水晶体を構成する水晶体皮質１２が水晶体嚢１３に収容された状態で周囲の毛様筋１４及びそこから繋がるチン小帯１４ａによって支持されている。水晶体嚢１３の後方位置（図５の右方位置）には図示しない網膜が設けられ、水晶体を介して透過された光が網膜上で収束されて像を結び、認識されるようになっている。水晶体嚢１３の前方には水晶体皮質１２の外周部を覆うように薄い膜状の紅彩１５が形成され、水晶体に入る光量が規制されている。
【００１９】
そして、遠方を見る場合には毛様筋１４が弛緩し、水晶体嚢１３が図５の二点鎖線に示すように収縮し、水晶体皮質１２が薄くなる。一方、近方を見る場合には毛様筋１４が緊張し、水晶体嚢１３が図５の実線に示すように膨張し、水晶体皮質１２が厚くなる。このようにして、無限遠方から至近距離まで焦点を合せることができるようになっている。ところが、例えば白内障を患うと水晶体の機能が損なわれるため、水晶体嚢１３から水晶体を構成する水晶体皮質１２を取り除いてそこへ後述する眼内レンズ２２が移植される。本実施形態では、係る眼内レンズ２２の装着及び脱着が容易で、眼内レンズ２２をその光軸方向に精度良く移動調節できる手段を提供するものである。
【００２０】
図２に示すように、薄板で円板状に形成された前部保持体１７の中心部には第１貫通孔２４が透設されると共に、同じく薄板で円板状に形成された後部保持体１９の中心部には第２貫通孔１８が透設されている。本実施形態では、前部保持体１７と後部保持体１９とは同一形状に設定されている。第１貫通孔２４は、眼内レンズ２２の装着及び脱着を行うと同時に、角膜１１からの光を取り入れるためのものである。前部保持体１７の内面の１８０度対向する位置には、直径方向に延びる房水流通溝２７が切欠き形成され、伸縮体２１の伸縮に伴う房水の出入りが円滑に行われるようになっている。
【００２１】
前部保持体１７と後部保持体１９との間には、周方向に一定間隔をおいて複数（本実施形態では８片）の架橋片２０が架設され、前部保持体１７及び後部保持体１９が前後方向に伸縮可能に構成されている。架橋片２０は、薄板により帯状に形成されている。水晶体嚢構成体１６は、これらの前部保持体１７、後部保持体１９及び架橋片２０によって形成された伸縮体２１により構成されている。
【００２２】
前記架橋片２０は周方向に均等間隔になるように配置され、前部保持体１７及び後部保持体１９の前後方向への伸縮が周方向において均一に行われるようになっている。各架橋片２０の中央部には断面円弧状をなす伸縮用曲げ部２３が設けられて架橋片２０が前後方向に伸縮性（弾力性）を発現できるように構成され、水晶体嚢１３内で前部保持体１７を前方へ、後部保持体１９を後方へ付勢するように構成されている。そして、伸縮体２１が前部保持体１７及び後部保持体１９から内方へ収縮力を受けたときには架橋片２０は屈曲し、その収縮力が開放されたときには架橋片２０はその付勢力によって元に戻るようになっている。つまり、架橋片２０の伸縮用曲げ部２３により前部保持体１７及び後部保持体１９が伸縮し、第１貫通孔２４から伸縮体２１内へ挿入された眼内レンズ２２がその光軸方向に前後動できるようになっている。
【００２３】
本実施形態では、前部保持体１７、後部保持体１９及び架橋片２０は、シリコーン、アクリル樹脂（ポリメチルメタクリレート）、フッ素樹脂、熱可塑性エラストマー等の透明かつ一定の弾力性を有する材料により形成されている。眼内レンズ２２もこれらの部材と同様の材料により形成されている。この場合、水晶体嚢構成体１６は、１種類の材料で一体的に形成することが望ましいが、異なる材料を使用してそれらを接合することにより形成することもできる。
【００２４】
図４に示すように、後部保持体１９の水晶体嚢１３に接触する部分、すなわち後部保持体１９の外周縁の外面隅部には、水晶体嚢１３を押圧する角部（エッジ）２６が設けられている。この角部２６は、本実施形態では断面直角（９０度）に形成されている。後部保持体１９にこの角部２６を設けることにより、該角部２６が水晶体嚢１３に触れて密着し、後発白内障を抑制するようになっている。
【００２５】
図３（ａ）、（ｂ）に示すように、眼内レンズ２２の光学部（オプティクス）２８は円盤状に形成された凸レンズであり、その外周部の１８０度対向する位置から一対の支持部（ハプティクス）２５がループ状に突出形成されている。これらの支持部２５は、光学部２８の外周部から斜め後方へ、かつ周方向に円弧状に延びるように構成されている。これら支持部２５の先端部２５ａは前記架橋片２０の伸縮用曲げ部２３内面に形成された係合部２９に係合され、その位置が保たれるようになっている。そして、係る架橋片２０の係合部２９に両支持部２５の先端部２５ａが係合され、伸縮体２１内の前部すなわち前部保持体１７側（寄り）に光学部２８が保持されるようになっている。なお、眼内レンズ２２は従来のものを使用できるが、伸縮体２１内への挿入方向が前後反対となっており、光学部２８が伸縮体２１内の後部に位置するのではなく、前部に位置するようになっている。また、眼内レンズ２２の支持部２５は、光学部２８と一体形成されるか、又は光学部２８とは別体の支持部２５が光学部２８に接合されるか、いずれであってもよい。
【００２６】
前部保持体１７の第１貫通孔２４の直径は、眼内レンズ２２が前部保持体１７の第１貫通孔２４から抜け出さないようにするために、その光学部２８の直径よりも小さく設定されている。例えば、眼内レンズ２２の直径が６ｍｍである場合には、第１貫通孔２４の直径は５．５ｍｍ程度に設定される。このため、眼内レンズ２２は曲げて前部保持体１７の第１貫通孔２４から伸縮体２１内に挿入され、安定した状態で支持されると共に、眼内レンズ２２が伸縮体２１内に挿入された後に眼内レンズ２２を交換するなどの操作を簡単に行うことができる。さらに、毛様筋１４の緊張及び弛緩に水晶体嚢１３が追従し、その水晶体嚢１３の生理的な収縮及び膨張により眼内レンズ２２が光軸上を移動することができるようになっている。
【００２７】
次に、この水晶体嚢構成体１６の使用方法について説明する。
水晶体嚢構成体１６は、角膜１１の一部を切開し、その切開された部分から水晶体を構成する水晶体皮質１２が取り除かれた水晶体嚢１３内に挿入される。そして、遠方を見る場合には図１（ａ）に示すように、水晶体嚢１３が収縮し、それに伴って主に後部保持体１９が後方へ押圧される。このため、各架橋片２０がそれらの伸縮用曲げ部２３を中心にして屈曲され、伸縮体２１内に保持されている光学部２８がその光軸上を前方へ移動する。従って、遠方の光は網膜上で像を結ぶことができる。
【００２８】
一方、近方を見る場合には図１（ｂ）に示すように、水晶体嚢１３が膨張し、それに伴って架橋片２０の付勢力によって主に後部保持体１９が後方へ戻される。このため、各架橋片２０がそれらの伸縮用曲げ部２３を中心にして拡がり、伸縮体２１内に保持されている光学部２８がその光軸上を前方へ移動する。従って、近方の光は網膜上で像を結ぶことができる。このとき、図１（ｃ）に示すように、図１（ａ）及び図１（ｂ）のいずれの場合にも眼内レンズ２２の光学部２８の前面は前部保持体１７の第１貫通孔２４に嵌め込まれるように保持され、光学部２８は常に安定状態に維持されている。
【００２９】
以上の実施形態により発揮される効果を以下にまとめて説明する。
・  本実施形態の水晶体嚢構成体１６は、第１貫通孔２４を有する前部保持体１７及び第２貫通孔１８を有する後部保持体１９の間に複数の架橋片２０が架設されて光軸に沿って前後方向に伸縮可能に形成された伸縮体２１により構成されている。該伸縮体２１内に前部保持体１７の第１貫通孔２４から眼内レンズ２２が挿入されて保持される。このため、前部保持体１７の第１貫通孔２４を利用し、伸縮体２１とは別体の眼内レンズ２２を挿入及び取り出しすることができる。さらに、毛様筋１４の緊張及び弛緩に水晶体嚢１３が追従し、その水晶体嚢１３の生理的な収縮及び膨張により眼内レンズ２２の光学部２８が光軸上を移動することができる。従って、眼内レンズ２２を水晶体嚢１３内に従来の手術手段で容易に挿入して保持することができると共に、挿入された眼内レンズ２２を容易に取り出すことができ、かつ光学部２８を光軸に沿って網膜側又は角膜側へ精度良く移動調節させることができる。
【００３０】
従来の白内障の手術後には水晶体嚢１３は本来の形状を失い、視覚の調節機能を喪失していたが、本実施形態の水晶体嚢構成体１６では２つのリング状をなす前部保持体１７及び後部保持体１９並びにそれらを連結する架橋片２０で構成される伸縮体２１により水晶体嚢１３の収縮が抑制され、その形状が維持される。このため、遠近のピント合わせをするために伸縮体２１の厚さを調節するという生体の生理的な機能を残すことができる。つまり、毛様筋１４の緊張、弛緩に基づく水晶体の厚さを変化させる働きを残すことが可能であり、結果として物を見るときの遠近のピント合わせの調節力を残すことができる。このように、本実施形態の水晶体嚢構成体１６によれば、白内障手術に伴う様々な問題点を一挙に解決することができる。
【００３１】
また、眼内レンズ２２を第１貫通孔２４から伸縮体２１内に挿入した後に眼内レンズ２２の度数が求める屈折価から外れて交換が必要になった場合、眼底疾患が生じて硝子体手術等の眼内操作が必要となった場合、眼内レンズ２２を改良された最新のものに交換したい場合等に、第１貫通孔２４を利用して容易に手術を行うことができる。
【００３２】
・  眼内レンズ２２はその光学部２８の外周から支持部２５がループ状に突出形成され、伸縮体２１の架橋片２０の伸縮用曲げ部２３内面の係合部２９にはその支持部２５の先端部２５ａが係合され、伸縮体２１内の前部に眼内レンズ２２が保持される。このため、伸縮体２１内に眼内レンズ２２の光学部２８を安定した状態で保持することができると共に、光学部２８の移動調節を良好に行うことができる。
【００３３】
・  上記支持部２５は光学部２８から斜め後方へ延びるように構成され、光学部２８はその前面が前部保持体１７の第１貫通孔２４に嵌り込むように構成されている。従って、眼内レンズ２２の光学部２８を前部保持体１７の位置に位置決めすることができ、該光学部２８の移動調節の精度を向上させることができる。
【００３４】
・  前部保持体１７の第１貫通孔２４の直径が、眼内レンズ２２の光学部２８の直径よりも小さく設定されることにより、前部保持体１７の第１貫通孔２４から眼内レンズ２２を挿入した後に抜け出すことを防止することができ、眼内レンズ２２を安定した状態で装着することができる。
【００３５】
・  後部保持体１９の水晶体嚢１３に接触する部分が、水晶体嚢（後嚢）１３を押圧するための角部２６を有していることにより、後部保持体１９の角部２６が水晶体嚢１３に密着してブロッキング効果を発揮し、後発白内障を抑制することができる。
【００３６】
・  前記架橋片２０に伸縮用曲げ部２３が設けられていることにより、前部保持体１７を前方へ付勢し、後部保持体１９を後方へ付勢することができると共に、その付勢力により、又はその付勢力に抗して伸縮体２１の伸縮を円滑に行うことができる。
【００３７】
・  さらに、複数の架橋片２０が均等間隔に配置されていることにより、伸縮体２１の周方向における伸縮を均一にすることができ、眼内レンズ２２がその光軸に対して直交状態を維持しながら光軸上を前後方向に移動することができる。
【００３８】
なお、前記実施形態を次のように変更して具体化することも可能である。
〇  図６（ａ）に示すように、架橋片２０の伸縮用曲げ部２３の係合部２９を、断面円弧状をなす係合溝２９ａとすることができる。この場合、眼内レンズ２２の支持部２５の先端部２５ａが係合溝２９ａに嵌合され、光学部２８の位置決め保持性能を向上させることができる。図６（ｂ）に示すように、該係合部２９を断面逆Ｖ字状の係合Ｖ溝２９ｂとすることもできる。この場合にも、支持部２５の先端部２５ａが係合Ｖ溝２９ｂに係合されやすく、光学部２８が良好に位置決め保持される。図６（ｃ）に示すように、該係合部２９を断面逆Ｖ字状の係合Ｖ溝２９ｂとし、伸縮用曲げ部２３の外面も断面逆Ｖ字状に形成することができる。
【００３９】
〇  房水流通溝２７を１箇所又は３箇所以上に設けることができ、さらにその房水流通溝２７を前部保持体１７の周方向に均等間隔で設けることができる。
〇  架橋片２０として、２枚の伸縮性（弾力性）のある板材をＶ字状に接合して構成し、その接合部分を伸縮用曲げ部２３とするように構成することもできる。また、架橋片２０を幅広に形成し、その数を減らすように構成したり、架橋片２０を幅狭に形成し、その数を増やすように構成したりすることもできる。さらに、架橋片２０を紐状体、棒状体などで構成することもできる。
【００４０】
〇  水晶体嚢構成体１６の前部保持体１７又は後部保持体１９を水晶体嚢１３の内面に固着するように構成することも可能である。
〇  複数の架橋片２０間を連結部材によって周方向に連結するように構成することも可能である。
【００４１】
〇  後部保持体１９の角部２６は、断面鋭角（９０度よりも小さい角度）及び断面鈍角（９０度よりも大きい角度）のいずれであってもよいが、水晶体嚢１３に密着する効果の点から断面鋭角である方が好ましい。
【００４２】
〇  前記眼内レンズ２２の支持部２５を３つ以上、例えば４つ、６つ等設け、伸縮体２１内における光学部２８の保持を一層安定化させるように構成することもできる。
〇  眼内レンズ２２の支持部２５として、前方へ延びる支持部２５（後方へ延びる支持部２５よりも短く）を加えて、伸縮体２１内での眼内レンズ２２をより安定化させるように構成することもできる。
【００４３】
次に、前記実施形態より把握できる技術的思想について以下に記載する。
【００４５】
・  前記前部保持体及び後部保持体は、薄板により同じ大きさの円環状に形成されていることを特徴とする請求項１から請求項４のいずれか１項に記載の水晶体嚢構成体。このように構成した場合、請求項１から請求項４のいずれかに係る発明の効果に加えて、水晶体嚢構成体の構成を簡単にすることができると共に、伸縮体の光軸方向への伸縮を安定した状態で行うことができる。
【００４６】
・  前記眼内レンズの光学部は伸縮体内において光軸に沿って移動可能に構成されていることを特徴とする請求項２から請求項４のいずれか１項に記載の水晶体嚢構成体。このように構成した場合、請求項２から請求項４のいずれかに係る発明の効果に加えて、水晶体嚢の収縮及び膨張に伴って眼内レンズによる遠近調節を良好に行うことができる。
【００４７】
・  前記複数の架橋片は周方向に均等間隔に配置されていることを特徴とする請求項１から請求項４のいずれか１項に記載の水晶体嚢構成体。このように構成した場合、請求項１から請求項４のいずれかに係る発明の効果に加えて、伸縮体の周方向における伸縮を均一にすることができ、眼内レンズがその光軸に対して直交状態を維持しながら光軸に沿って移動することができる。
【００４８】
・  前記架橋片は、前部保持体と後部保持体との間隔が一定となるように構成されていることを特徴とする請求項１から請求項４のいずれか１項に記載の水晶体嚢構成体。このように構成した場合、請求項１から請求項４のいずれかに係る発明の効果に加えて、眼内レンズをその光軸に沿って移動させることができる。
【００４９】
・  前記架橋片は、薄板により帯状に形成されていることを特徴とする請求項１から請求項４のいずれか１項に記載の水晶体嚢構成体。このように構成した場合、請求項１から請求項４のいずれかに係る発明の効果に加えて、伸縮体の伸縮を円滑に行うことができる。
【図面の簡単な説明】
【００５０】
【図１】（ａ）及び（ｂ）は実施形態における水晶体嚢構成体の作用を示す図であって、（ａ）は水晶体嚢構成体が収縮した場合の作用を示す説明図、（ｂ）は水晶体嚢構成体が膨張した場合の作用を示す説明図及び（ｃ）は眼内レンズの光学部と前部保持体の第１貫通孔との関係を示す断面図。
【図２】水晶体嚢構成体を示す斜視図。
【図３】（ａ）は眼内レンズを示す正面図、（ｂ）は眼内レンズを示す側面図。
【図４】水晶体嚢構成体を構成する後部保持体の角部が水晶体嚢（後嚢）に接触する状態を示す部分拡大正面図。
【図５】人の眼の縦断面を模式的に示す説明図。
【図６】（ａ）から（ｃ）は伸縮体の架橋片の係合部の別例を示す部分拡大図であって、（ａ）は断面円弧状の係合溝を設けた状態を示す部分拡大図、（ｂ）は断面Ｖ字状の係合Ｖ溝を設けた状態を示す部分拡大図及び（ｃ）は断面Ｖ字状の係合Ｖ溝を設けると共に、伸縮用曲げ部の外面も断面Ｖ字状に形成した状態を示す部分拡大図。
【符号の説明】
【００５１】
１２…水晶体皮質、１３…水晶体嚢、１６…水晶体嚢構成体、１７…前部保持体、１８…第２貫通孔、１９…後部保持体、２０…架橋片、２１…伸縮体、２２…眼内レンズ、２４…第１貫通孔、２５…支持部、２６…角部、２８…光学部。
【要約】
【課題】眼内レンズを水晶体嚢内に容易に挿入して保持することができると共に、挿入された眼内レンズを容易に取り出すことができ、かつ眼内レンズを光軸に沿って網膜側又は角膜側へ精度良く移動調節させることができる水晶体嚢構成体を提供する。
【解決手段】水晶体嚢構成体１６は、水晶体を構成する水晶体皮質を除去した水晶体嚢内に挿入されて用いられ、第１貫通孔２４が形成されている前部保持体１７及び第２貫通孔１８が形成されている後部保持体１９の間に複数の架橋片２０が架設されて前後方向に伸縮可能に形成された伸縮体２１により構成されている。該伸縮体２１内に前部保持体１７の第１貫通孔２４から眼内レンズ２２が挿入されて保持されるようになっている。眼内レンズ２２はその光学部２８外周から支持部２５がループ状に突出形成され、伸縮体２１の架橋片２０の内面にその支持部２５の先端部２５ａが係合されている。
【選択図】図１【図１】
0004308307.tif 000002
【図２】
0004308307.tif 000003
【図３】
0004308307.tif 000004
【図４】
0004308307.tif 000005
【図５】
0004308307.tif 000006
【図６】
0004308307.tif 000007